(57)【要約】【課題】電磁波ノイズが赤外線受光部５０に悪影響を与え難くする。【解決手段】センサユニットでは、缶部材４０は、赤外線受光部５０の周辺において回路基板２０から突出ように形成されている。缶部材４０は、回路基板２０のランド２１ａ…２１ｅに対してハンダにより接続され、ランド２１ａ…２１ｅは、缶部材４０の軸を中心として一定角度、間隔で配置されている。ランド２２ａ…２２ｅはグランドに接続されている。ランド２１ａ、２２ａの間にはコンデンサ２３ａが実装され、ランド２１ｂ、２２ｂの間にはコンデンサ２３ｂが実装されている。ランド２１ｃ、２２ｃの間にはコンデンサ２３ｃが実装され、ランド２１ｄ、２２ｄの間にはコンデンサ２３ｄが実装されている。ランド２１ｅ、２２ｅの間にはコンデンサ２３ｅが実装されている。電磁波ノイズが缶部材４０で受けられると、コンデンサ２３ａ…２３ｅを通過してグランドに流れる。【選択図】図２
2008083014.tif 000002
【特許請求の範囲】
【請求項１】
第１の回路基板と、
前記第１の回路基板に搭載され、被検出対象の物理量を検出するセンシング部と、
前記第１の回路基板のうち前記センシング部の周囲に搭載され、前記第１の回路基板から突出するように形成される金属製の突出部と、
前記第１の回路基板のうち他のいずれの素子よりも近い部位に搭載され、前記突出部で受けた電磁波ノイズを除去するノイズ除去用素子と、
を備えることを特徴とする電子機器。
【請求項２】
前記ノイズ除去用素子は、コンデンサであることを特徴とする請求項１に記載の電子機器。
【請求項３】
前記第１の回路基板には、前記金属製の突出部を電気的に接続する複数のランドが設けられており、
前記複数のランドは、それぞれ、ほぼ等間隔で配置されていることを特徴とする請求項１または２に記載の電子機器。
【請求項４】
前記センシング部は、前記被検出対象から入射される赤外線を検出するためのものであり、
前記突出部は、前記被検出対象から前記センシング部に向けて入射する赤外線を通過させる開口部を有し、この開口部以外の部位から前記センシング部に赤外線が入射することを遮蔽するものであることを特徴とする請求項１ないし３のいずれか１つに記載の電子機器。
【請求項５】
前記第１の回路基板には、前記センシング部および前記突出部と前記ノイズ除去用素子だけが配置されていることを特徴とする請求項１ないし４のいずれか１つに記載の電子機器。
【請求項６】
前記第１の回路基板に対して所定間隔を開けて配置される第２の回路基板が設けられていることを特徴とする請求項１ないし４のいずれか１つに記載の電子機器。
【発明の詳細な説明】
【技術分野】
【０００１】
本発明は、回路基板上にセンシング部を搭載してなる電子機器に関する。
【背景技術】
【０００２】
従来、車室内の被検出対象（主に乗員）の表面温度を非接触で検出するセンサユニットがある。このセンサユニットは、回路基板上に赤外線受光部および金属製缶部材を搭載して構成されている。金属製缶部材は、回路基板から突出し、かつ赤外線受光部を覆うように形成されている。
【０００３】
ここで、金属製缶部材は、集光レンズが填め込まれる開口部を有し、かつ開口部以外の部位から赤外線受光部に赤外線が入射するのを遮蔽する。このため、赤外線受光部は、集光レンズを通して入射される赤外線に基づいて、被検出対象の温度を検出することができる。
【発明の開示】
【発明が解決しようとする課題】
【０００４】
しかし、上述のセンサユニットでは、金属製缶部材が回路基板から突出するように形成されているので、電磁波ノイズを受けるアンテナとして機能して、この金属製缶部材で受ける電磁波ノイズが金属製缶部材の内部に配置される赤外線受光部（センシング部）に悪影響を与える可能がある。特に、赤外線受光部からの出力信号は、微弱信号であるため、電磁波ノイズによって極めて大きな悪影響を受ける可能性がある。
【０００５】
本発明は、上記点に鑑み、センシング部が電磁波ノイズの悪影響を受け難くした電子機器を提供することを目的とする。
【課題を解決するための手段】
【０００６】
上記目的を達成するため、本発明では、第１の回路基板と、第１の回路基板に搭載され、被検出対象の物理量を検出するセンシング部と、第１の回路基板のうちセンシング部の周囲に搭載され、第１の回路基板から突出するように形成される金属製の突出部と、第１の回路基板のうち他のいずれの素子よりも近い部位に搭載され、突出部で受けた電磁波ノイズを除去するノイズ除去用素子と、を備えることを特徴とする。
【０００７】
したがって、電磁波ノイズがセンシング部に伝わり難くすることができるので、センシング部が電磁波ノイズの悪影響を受け難くすることができる。
【発明を実施するための最良の形態】
【０００８】
図１、図２に本発明の電子機器が適用されたＩＲセンサユニットの一実施形態を示す。図１は本実施形態のＩＲセンサユニットを示す斜視図である。
【０００９】
本実施形態のＩＲセンサユニットは、車室内の意匠壁に対して奥側（すなわち、車室内と反対側）に配置され、意匠壁の開口部から入射する赤外線に基づいて車室内の被検出対象（例えば、乗員）の表面温度を検出するものである。
【００１０】
具体的には、ＩＲセンサユニットは、図１に示すように、回路基板１０、２０、スペーサ３０、および缶部材４０から構成されている。回路基板１０、２０は、それぞれ、ガラスエポキシ樹脂からなる回路基板であり、回路基板１０、２０は、スペーサ３０を狭持して所定間隔を開けた状態で並列に配置されている。
【００１１】
回路基板２０は、図２に示すように、八角形に形成されている。図２は、回路基板２０を上側から視た図である。缶部材４０は、回路基板２０に搭載され、鉄などの金属材料から略円筒状に形成され、後述する赤外線受光部５０を覆うように形成されている。
【００１２】
すなわち、缶部材４０は、赤外線受光部５０の周辺において回路基板２０から突出ように形成されていることになる。また、缶部材４０の先端側には、開口部４１が設けられ、開口部４１内には集光レンズ４２が填め込まれている。
【００１３】
缶部材４０は、回路基板２０のランド２１ａ、２１ｂ、２１ｃ…２１ｅに対してハンダにより接続されている。ランド２１ａ…２１ｅは、缶部材４０の軸を中心として一定角度（７６度）間隔で配置されている。すなわち、ランド２１ａ…２１ｅは、等間隔で配置されている。
【００１４】
なお、本実施形態において、ランド２１ａ…２１ｅの等間隔の配置とは、ランド２１ａ…２１ｅのうち隣接する２つのランドの間の各寸法（各間隔）がそれぞれ一致する場合に限らず、多少ずれる場合も含む。
【００１５】
回路基板２０には、ランド２１ａ…２１ｅのそれぞれに対して所定間隔離れてランド２２ａ…２２ｅが設けられている。ランド２２ａ…２２ｅはグランドに接続されている。
【００１６】
ここで、ランド２１ａ、２２ａの間にはコンデンサ２３ａが実装され、ランド２１ｂ、２２ｂの間にはコンデンサ２３ｂが実装されている。ランド２１ｃ、２２ｃの間にはコンデンサ２３ｃが実装され、ランド２１ｄ、２２ｄの間にはコンデンサ２３ｄが実装されている。ランド２１ｅ、２２ｅの間にはコンデンサ２３ｅが実装されている。
【００１７】
なお、コンデンサ２３ａ…２３ｅは特許請求の範囲に記載のノイズ除去素子に相当する。
【００１８】
本実施形態では、回路基板２０には、赤外線受光部（センシング部）５０および缶部材（突出部）４０とコンデンサ（ノイズ除去用素子）２３ａ…２３ｅだけが搭載されており、コンデンサ２３ａ…２３ｅ（ランド２２ａ…２２ｅ）は、缶部材４０に近い位置に配置されている。
【００１９】
なお、回路基板２０において、赤外線受光部５０、コンデンサ２３ａ…２３ｅおよび缶部材４０とともに他の素子が搭載される場合には、缶部材４０に対してコンデンサ２３ａ…２３ｅが他の素子によりも近い部位に搭載されるようにする。
【００２０】
回路基板２０には、赤外線受光部（センシング部）５０が搭載されており、赤外線受光部５０は、缶部材４０により覆われて、集光レンズ４２以外から赤外線が入射するのが遮蔽されている。赤外線受光部５０は、集光レンズ４２から入射する赤外線に基づいて被検出対象の表面温度を検出するとともに、その検出信号をリード線５１を通して回路基板２０側に出力する。リード線５１は、回路基板２０を貫通して回路基板１０内の配線部に接続されている。なお、図１中の符号６０は、コネクタであって、ＩＲセンサユニットを他の電子制御装置に接続するために用いられる。
【００２１】
以上のように構成されるＩＲセンサユニットでは、缶部材４０の極めて近くに（直近に）コンデンサ２３ａ、２３ｂ…２３ｅが配置され、回路基板２０には、コンデンサ２３ａ…２３ｅおよび缶部材４０のみが搭載されている。したがって、電磁波ノイズが缶部材４０で受けられても、電磁波ノイズは、コンデンサ２３ａ、２３ｂ…２３ｅを通過してグランドに流れる。すなわち、電磁波ノイズが赤外線受光部５０に伝わることはなく、除去されることになる。
【００２２】
したがって、缶部材４０が赤外線受光部５０の周囲に位置していても、缶部材４０で受けた電磁波ノイズが赤外線受光部５０に伝わり難くすることができる。このため、コンデンサ２３ａ…２３ｅ（ランド２１ａ…２１ｅ）といった簡素な追加部品で、赤外線受光部５０が電磁波ノイズの悪影響を受け難くすることができる。
【００２３】
上述の実施形態では、センサユニットとして、二枚の回路基板（１０、２０）を所定間隔を開けた状態で並列に配置してなるものについて説明したが、これに限らず、センサユニットとして一枚の回路基板を用いて構成されるものを用いてもよい。
【００２４】
上述の実施形態では、ランド２１ａ…２１ｅを等間隔で配置した例について説明したが、これに限らず、ランド２１ａ…２１ｅの個々の配置間隔をそれぞれ変えるようにしてもよい。また、ランド数（コンデンサ数）は５個に限るものではない。
【００２５】
上述の実施形態では、センシング部として赤外線受光部５０を用いた例について説明したが、これに限らず、圧力センサ、湿度センサ等の各種のセンシング部を用いることができる。
【００２６】
上述の実施形態では、金属製の突出部として缶部材４０を用いた例について説明したが、これに限らず、赤外線受光部５０の周囲にて回路基板２０から突出ように形成されているものならば、どのような形状のものでもよく、例えば、回路基板２０から板状に突出するように形成される金属製のヒートシンク（放熱用部材）に適用してもよい。
【００２７】
上述の実施形態では、ノイズ除去用素子としてコンデンサを用いた例について説明したが、これに限らず、電磁波ノイズを除去するために素子ならば、コイル成分を有する素子やダイオードなど各種の素子を用いてよい。
【図面の簡単な説明】
【００２８】
【図１】本発発明の第１実施形態のセンサユニットの構成を示す斜視図である。
【図２】図１のセンサユニットの回路基板の上面図である。
【符号の説明】
【００２９】
１０、２０…回路基板、３０…スペーサ、
２１ａ、２１ｂ、２１ｃ、２１ｄ、２１ｅ…ランド、
２２ａ、２２ｂ、２２ｃ、２２ｄ、２２ｅ…ランド、
２３ａ、２３ｂ、２３ｃ、２３ｄ、２３ｅ…コンデンサ、
４０…缶部材、４２…集光レンズ、５０…赤外線受光部。
【図１】
2008083014.tif 000003
【図２】
2008083014.tif 000004